(57)【要約】【課題】  インパッケージ区画遮蔽を備えた半導体パッケージ及びその製造方法を提供する。【解決手段】  半導体パッケージは基板を含む。該基板の上面に少なくとも高周波チップ及び高周波干渉の影響を受けやすい回路部品が配置されている。高周波チップを取り囲んで、基板上に第１のグランドリングが配置される。高周波チップを取り囲んで、第１のグランドリング上に第１の金属ポスト強化接着剤壁が配置される。回路部品を取り囲んで、基板の上に第２のグランドリングが配置される。回路部品を取り囲んで、第２のグランドリング上に第２の金属ポスト強化接着剤壁が配置される。少なくとも高周波チップ及び回路部品を成形コンパウンドが覆う。成形コンパウンド上に導電層は配置され、それが、第１の金属ポスト強化接着剤壁及び／又は第２の金属ポスト強化接着剤壁に結合される。【選択図】  図１
2020088366.tif 000002
【特許請求の範囲】
【請求項１】
基板であり、少なくとも１つの高周波チップ及び高周波信号干渉の影響を受けやすい回路部品を当該基板の上面に有する基板と、
前記高周波チップを取り囲んだ、前記基板の前記上面上の第１のグランドリングと、
前記高周波チップを取り囲んだ、前記第１のグランドリング上に配置された第１の金属ポスト強化接着剤壁と、
前記回路部品を取り囲んだ、前記基板の前記上面上の第２のグランドリングと、
前記回路部品を取り囲んだ、前記第２のグランドリング上に配置された第２の金属ポスト強化接着剤壁と、
少なくとも前記高周波チップ及び前記回路部品を覆った成形コンパウンドと、
前記第１の金属ポスト強化接着剤壁及び／又は前記第２の金属ポスト強化接着剤壁と接触して前記成形コンパウンド上に配置された導電層と
を有する、インパッケージ区画遮蔽を備えた半導体パッケージ。
【請求項２】
前記第１の金属ポスト強化接着剤壁は、複数の第１の金属ポストを有し、前記複数の第１の金属ポストの各々の一端が前記第１のグランドリング上に固定され、他端は浮かされており、前記複数の第１の金属ポストは前記高周波チップを取り囲んでいる、請求項１に記載のインパッケージ区画遮蔽を備えた半導体パッケージ。
【請求項３】
前記第２の金属ポスト強化接着剤壁は、複数の第２の金属ポストを有し、前記複数の第２の金属ポストの各々の一端が前記第２のグランドリング上に固定され、他端は浮かされており、前記複数の第２の金属ポストは前記回路部品を取り囲んでいる、請求項２に記載のインパッケージ区画遮蔽を備えた半導体パッケージ。
【請求項４】
前記第１の金属ポスト強化接着剤壁又は前記第２の金属ポスト強化接着剤壁は更に、前記第１又は第２の金属ポストの表面に付着した接着剤を有する、請求項３に記載のインパッケージ区画遮蔽を備えた半導体パッケージ。
【請求項５】
前記接着剤は、熱硬化性樹脂、熱可塑性樹脂、又は紫外線（ＵＶ）硬化樹脂を有する、請求項４に記載のインパッケージ区画遮蔽を備えた半導体パッケージ。
【請求項６】
前記接着剤は導電性ペーストを有する、請求項４に記載のインパッケージ区画遮蔽を備えた半導体パッケージ。
【請求項７】
前記接着剤は導電性粒子を有する、請求項４に記載のインパッケージ区画遮蔽を備えた半導体パッケージ。
【請求項８】
前記導電性粒子は、銅、銀、金、アルミニウム、ニッケル、パラジウム、これらの組み合わせ若しくは合金、又はグラフェンを有する、請求項７に記載のインパッケージ区画遮蔽を備えた半導体パッケージ。
【請求項９】
前記成形コンパウンドの組成は前記接着剤の組成と異なる、請求項７に記載のインパッケージ区画遮蔽を備えた半導体パッケージ。
【請求項１０】
前記成形コンパウンドの上面は、前記第１の金属ポスト強化接着剤壁の上面及び前記第２の金属ポスト強化接着剤壁の上面と同一平面にある、請求項３に記載のインパッケージ区画遮蔽を備えた半導体パッケージ。
【請求項１１】
インパッケージ区画遮蔽を有する半導体パッケージを製造する方法であって、
基板を用意し、当該基板は、少なくとも１つの高周波チップ及び高周波信号干渉の影響を受けやすい回路部品を当該基板の上面上に配置され、当該基板の前記上面は更に、前記高周波チップを取り囲む第１のグランドリングと、前記回路部品を取り囲む第２のグランドリングとを備え、
前記高周波チップを取り囲むように、前記第１のグランドリング上に第１の金属ポスト強化接着剤壁を形成し、
前記回路部品を取り囲むように、前記第２のグランドリング上に第２の金属ポスト強化接着剤壁を形成し、
少なくとも前記高周波チップ及び前記回路部品を覆うように、成形コンパウンドを形成し、そして、
前記第１の金属ポスト強化接着剤壁及び／又は前記第２の金属ポスト強化接着剤壁と接触するように、前記成形コンパウンド上に導電層を形成する、
ことを有する方法。
【請求項１２】
複数の第１の金属ポストを形成することを更に有し、前記複数の第１の金属ポストの各々の一端が前記第１のグランドリング上に固定され、他端は浮かされ、前記複数の第１の金属ポストは前記高周波チップを取り囲む、請求項１１に記載の方法。
【請求項１３】
複数の第２の金属ポストを形成することを更に有し、前記複数の第２の金属ポストの各々の一端が前記第２のグランドリング上に固定され、他端は浮かされ、前記複数の第２の金属ポストは前記回路部品を取り囲む、請求項１２に記載の方法。
【請求項１４】
前記第１又は第２の金属ポストの表面に付着した接着剤を形成する、ことを更に有する請求項１３に記載の方法。
【請求項１５】
前記接着剤は、熱硬化性樹脂、熱可塑性樹脂、又は紫外線（ＵＶ）硬化樹脂を有する、請求項１４に記載の方法。
【請求項１６】
前記接着剤は導電性ペーストを有する、請求項１４に記載の方法。
【請求項１７】
前記接着剤は導電性粒子を有する、請求項１４に記載の方法。
【請求項１８】
前記導電性粒子は、銅、銀、金、アルミニウム、ニッケル、パラジウム、これらの組み合わせ若しくは合金、又はグラフェンを有する、請求項１７に記載の方法。
【請求項１９】
前記成形コンパウンドの組成は前記接着剤の組成と異なる、請求項１７に記載の方法。
【請求項２０】
前記成形コンパウンドの上面は、前記第１の金属ポスト強化接着剤壁の上面及び前記第２の金属ポスト強化接着剤壁の上面と同一平面にされる、請求項１３に記載の方法。
【請求項２１】
基板であり、少なくとも１つの半導体チップが当該基板の上面に配置された基板と、
前記基板の前記上面上の、前記半導体チップを取り囲むグランドリングと、
前記半導体チップを取り囲んで前記グランドリング上に配置された金属ポスト強化接着剤壁と、
前記半導体チップを覆って前記金属ポスト強化接着剤壁の内側のみに配置された成形コンパウンドと、
を有する半導体パッケージ。
【請求項２２】
前記金属ポスト強化接着剤壁は、複数の金属ポストを有し、前記複数の金属ポストの各々の一端が前記グランドリング上に固定され、他端は浮かされており、前記複数の金属ポストは前記半導体チップを取り囲んでいる、請求項２１に記載の半導体パッケージ。
【請求項２３】
前記金属ポスト強化接着剤壁は更に、前記金属ポストの表面に付着した接着剤を有する、請求項２２に記載の半導体パッケージ。
【請求項２４】
前記接着剤は、熱硬化性樹脂、熱可塑性樹脂、又は紫外線（ＵＶ）硬化樹脂を有する、請求項２３に記載の半導体パッケージ。
【請求項２５】
前記接着剤は導電性ペーストを有する、請求項２３に記載の半導体パッケージ。
【請求項２６】
前記接着剤は導電性粒子を有する、請求項２５に記載の半導体パッケージ。
【請求項２７】
前記導電性粒子は、銅、銀、金、アルミニウム、ニッケル、パラジウム、これらの組み合わせ若しくは合金、又はグラフェンを有する、請求項２６に記載の半導体パッケージ。
【請求項２８】
前記成形コンパウンドの組成は前記接着剤の組成と異なる、請求項２３に記載の半導体パッケージ。
【請求項２９】
前記成形コンパウンドの上面は、前記金属ポスト強化接着剤壁の上面と同一平面にある、請求項２１に記載の半導体パッケージ。
【発明の詳細な説明】
【技術分野】
【０００１】
本発明は、半導体テクノロジーの技術分野に関する。特に、本発明は、インパッケージ区画遮蔽（in-package  compartmental  shielding）を備えた半導体パッケージ及びその製造方法に関する。
【背景技術】
【０００２】
例えば携帯電話などのポータブル電子機器は、典型的に、単一の成形パッケージにて高度な回路集積を提供するためにマルチコンポーネント半導体モジュールを利用している。マルチコンポーネント半導体モジュールは、例えば、回路ボード上にマウントされた半導体チップ及び複数の電子部品を含み得る。半導体チップ及び電子部品が上にマウントされた回路ボードが、成形プロセスにてパッケージングされて、オーバーモールドされた半導体パッケージ構造が形成される。
【０００３】
例えば携帯電話などの装置が、要求されるレベルの性能を達成するように様々な環境で適正に動作することを確保するために、オーバーモールドされた半導体パッケージは、典型的に、電磁干渉（ＥＭＩ）から遮蔽される。電磁干渉は、例えば無線周波数（ＲＦ）の電磁放射及び電磁伝導によって電気システム内に生成される、部品の性能に対する悪影響である。
【０００４】
例えばシステム・イン・パッケージ（ＳｉＰ）などのチップモジュールがますます小型になるにつれ、部品間の距離も短縮されて、モジュール内の回路をＥＭＩに対していっそう敏感にし、それ故に、モジュール内の部品間にＥＭＩ遮蔽を配置することが必要である。しかしながら、モジュール内にＥＭＩ遮蔽を形成するための従来の方法は、複雑であり、コストがかかる。従って、この技術分野における現在の難題は、パッケージサイズ及びプロセスの複雑さを増大させることなく、また、パッケージングコストを有意に上昇させることなく、オーバーモールドされる半導体パッケージに効果的なＥＭＩ遮蔽を提供することである。
【発明の概要】
【０００５】
本発明の１つの目的は、上述の従来技術の不備及び欠点を解決するよう、インパッケージ（パッケージ内の）区画遮蔽を備えた半導体パッケージ及びその製造方法を提供することである。
【０００６】
本発明の一実施形態は、インパッケージ区画遮蔽を有する半導体パッケージを開示し、当該半導体パッケージは、基板であり、少なくとも１つの高周波チップ及び高周波信号干渉の影響を受けやすい回路部品を当該基板の上面に有する基板と、上記高周波チップを取り囲んだ、上記基板の上記上面上の第１のグランドリングと、上記高周波チップを取り囲んだ、上記第１のグランドリング上に配置された第１の金属ポスト強化接着剤壁と、上記回路部品を取り囲んだ、上記基板の上記上面上の第２のグランドリングと、上記回路部品を取り囲んだ、上記第２のグランドリング上に配置された第２の金属ポスト強化接着剤壁と、少なくとも上記高周波チップ及び上記回路部品を覆った成形コンパウンドと、上記第１の金属ポスト強化接着剤壁及び／又は上記第２の金属ポスト強化接着剤壁と接触して上記成形コンパウンド上に配置された導電層とを有する。
【０００７】
本発明の一実施形態によれば、上記第１の金属ポスト強化接着剤壁は、複数の第１の金属ポストを有し、上記複数の第１の金属ポストの各々の一端が上記第１のグランドリング上に固定され、他端は浮かされており、上記複数の第１の金属ポストは上記高周波チップを取り囲んでいる。
【０００８】
本発明の一実施形態によれば、上記第２の金属ポスト強化接着剤壁は、複数の第２の金属ポストを有し、上記複数の第２の金属ポストの各々の一端が上記第２のグランドリング上に固定され、他端は浮かされており、上記複数の第２の金属ポストは上記回路部品を取り囲んでいる。
【０００９】
本発明の一実施形態によれば、上記第１の金属ポスト強化接着剤壁又は上記第２の金属ポスト強化接着剤壁は更に、上記第１又は第２の金属ポストの表面に付着した接着剤を有する。本発明の一実施形態によれば、上記成形コンパウンドの組成は上記接着剤の組成と異なる。
【００１０】
他の一態様において、本発明の実施形態は、インパッケージ区画遮蔽を有する半導体パッケージを製造する方法を開示する。先ず、基板が用意される。該基板の上面上に、少なくとも１つの高周波チップ及び高周波信号干渉の影響を受けやすい回路部品が配置される。基板の上記上面は更に、上記高周波チップを取り囲む第１のグランドリングと、上記回路部品を取り囲む第２のグランドリングとを備える。上記高周波チップを取り囲むように、上記第１のグランドリング上に第１の金属ポスト強化接着剤壁が形成される。上記回路部品を取り囲むように、上記第２のグランドリング上に第２の金属ポスト強化接着剤壁が形成される。少なくとも上記高周波チップ及び上記回路部品を覆うように、成形コンパウンドが形成される。そして、上記第１の金属ポスト強化接着剤壁及び／又は上記第２の金属ポスト強化接着剤壁と接触するように、上記成形コンパウンド上に導電層が形成される。
【００１１】
本発明の一実施形態によれば、当該方法は更に、複数の第１の金属ポストを形成することを含み、上記複数の第１の金属ポストの各々の一端が上記第１のグランドリング上に固定され、他端は浮かされ、上記複数の第１の金属ポストは上記高周波チップを取り囲む。
【００１２】
本発明の一実施形態によれば、当該方法は更に、複数の第２の金属ポストを形成することを含み、上記複数の第２の金属ポストの各々の一端が上記第２のグランドリング上に固定され、他端は浮かされ、上記複数の第２の金属ポストは上記回路部品を取り囲む。
【００１３】
本発明の一実施形態によれば、当該方法は更に、上記第１又は第２の金属ポストの表面に付着した接着剤を形成することを有する。
【００１４】
本発明の他の一態様は、基板であり、少なくとも１つの半導体チップが当該基板の上面に配置された基板と、上記基板の上記上面上の、上記半導体チップを取り囲むグランドリングと、上記半導体チップを取り囲んで上記グランドリング上に配置された金属ポスト強化接着剤壁と、上記半導体チップを覆って上記金属ポスト強化接着剤壁の内側のみに配置された成形コンパウンドと、を有する半導体パッケージを提供する。
【００１５】
様々な図に例示される好適実施形態の以下の詳細な説明を読んだ後には、本発明のこれらの目的及びその他の目的が、疑いなく当業者に明らかになる。
【図面の簡単な説明】
【００１６】
添付の図面は、本発明の更なる理解を提供するために含められており、本明細書に組み込まれてその一部を構成する。図面は、本発明の実施形態を例示するものであり、その説明と共に、本発明の原理を説明する役割を果たす。図面は以下の図を含む。
【図１】図１−図５は、本発明の一実施形態に従った、インパッケージ区画遮蔽を有する半導体パッケージを製造する方法を示す概略図である。
【図２】図１−図５は、本発明の一実施形態に従った、インパッケージ区画遮蔽を有する半導体パッケージを製造する方法を示す概略図である。
【図３】図１−図５は、本発明の一実施形態に従った、インパッケージ区画遮蔽を有する半導体パッケージを製造する方法を示す概略図である。
【図４】図１−図５は、本発明の一実施形態に従った、インパッケージ区画遮蔽を有する半導体パッケージを製造する方法を示す概略図である。
【図５】図１−図５は、本発明の一実施形態に従った、インパッケージ区画遮蔽を有する半導体パッケージを製造する方法を示す概略図である。
【図６】図６及び図７は、半導体チップ間の重なり領域に配置される金属ポストの配列を示す部分的な上面図である。
【図７】図６及び図７は、半導体チップ間の重なり領域に配置される金属ポストの配列を示す部分的な上面図である。
【図８】図８及び図９は、本発明の他の一実施形態に従った、インパッケージ区画遮蔽を有する半導体パッケージを製造する方法を示す概略図である。
【図９】図８及び図９は、本発明の他の一実施形態に従った、インパッケージ区画遮蔽を有する半導体パッケージを製造する方法を示す概略図である。
【図１０】図１０及び図１１は、本発明の他の実施形態に従った単一チップパッケージの概略斜視図である。
【図１１】図１０及び図１１は、本発明の他の実施形態に従った単一チップパッケージの概略斜視図である。
【発明を実施するための形態】
【００１７】
本発明の実施形態における技術的ソリューションを、以下の説明にて、添付の図面を参照して、明瞭且つ十分に説明する。明らかなことには、記載される実施形態は、本発明の実施形態の一部に過ぎず、全ての実施形態ではない。創作的努力なしに本発明の実施形態に基づいて当業者によって得られる全ての他の実施形態も本発明の範囲内である。
【００１８】
本開示は、例えばシステム・イン・パッケージ（ＳｉＰ）などの、インパッケージ遮蔽を有する半導体パッケージ、及びそれを製造する方法を開示する。ＳｉＰは、例えばプロセッサ及びメモリなどの機能チップを含む複数の機能チップと、例えば受動コンポーネントなどのその他の部品とを、完全なる機能を達成する単一のパッケージへと統合したものを指す。先述のように、エレクトロニクスシステムが小型になり、ＳｉＰパッケージ内の電子部品の密度がますます高まるにつれて、特に高周波チップパッケージ構造（例えば、集積構造を形成するようにＳｉＰパッケージへと統合されるＲＦチップ、ＧＰＳチップ、及びＢｌｕｅｔｏｏｔｈ（登録商標）チップなどの高周波チップであり、パッケージ内の電子部品間で電磁干渉を生成する）において、システム内での電磁干渉（ＥＭＩ）が問題となる。故に、本発明は、プロセスにおいて単純化され、コストにおいて低く、且つ効果的であって、従来技術が直面する問題を具体的に解決することが可能な、半導体パッケージを製造する方法を提案する。
【００１９】
図１−図５は、本発明の一実施形態に従った、インパッケージ区画遮蔽を有する半導体パッケージ１を製造する方法を示す概略図である。図１に示すように、先ず、例えば回路ボード又はパッケージ基板などの基板１００が用意される。本発明の一実施形態によれば、例えば、基板１００は、これに限定されないが、例えばコア層と２つの金属層とを有する基板といった二層基板とし得る。基板１００は、セラミック材料、ラミネートされた絶縁材料、又はその他の好適タイプの材料を有し得る。図１には示していないが、基板１００はまた、その上面１００ａ及び下面１００ｂ上のパターニングされた金属層と、ビアとを含み得る。さらに、基板１００の上面１００ａ及び下面１００ｂ上に付加的にソルダーレジスト層１２０（グリーンペイントとも呼ばれる）が配設され得る。
【００２０】
本発明の一実施形態によれば、基板１００の上面１００ａ上に、互いに隣接する複数の半導体チップ１０−１２が配置され得る。例えば、これに限定されないが、半導体チップ１０は電力管理ＩＣ（ＰＭＩＣ）とすることができ、半導体チップ１１は無線周波数チップ（ＲＦＩＣ）とすることができ、そして、半導体チップ１２は電力増幅器ＩＣ（ＰＡＩＣ）とすることができる。
【００２１】
当業者が理解することには、上述の半導体チップ１０−１２の種類は単なる例示である。複数の異なる回路機能を達成するために、例えばプロセッサ、フラッシュメモリ、ダイナミックランダムアクセスメモリ（ＤＲＡＭ）、コントローラ又はこれらに類するものなどの、複数の異なる半導体チップ又は部品が基板１００上に配置され得る。本発明の一実施形態によれば、例えば半導体チップ１１などの、少なくとも１つの高周波チップ又はダイと、例えば半導体チップ１２などの、少なくとも１つの、高周波信号干渉の影響を受けやすい回路部品又はダイとが、基板１００の上面１００ａ上に配置される。
【００２２】
本発明の一実施形態によれば、例えば、これに限定されないが、半導体チップ１０及び１２は、ワイヤボンディング様式にて基板１００の上面１００ａ上に配置されることができ、半導体チップ１１は、フリップチップボンディング様式にて基板１００の上面１００ａ上に配置されることができる。本発明の一実施形態によれば、半導体チップ１０−１２は、ベアのダイ又はチップパッケージの形態をとり得る。
【００２３】
例えば、半導体チップ１０のアクティブ面に複数の入力／出力パッド（Ｉ／Ｏパッド）１０１が配設され、それらが、基板１００の上面１００ａの対応するボンディングパッド２０２（“ゴールデンフィンガー”としても知られている）に、ボンディングワイヤ１０２を介して電気的に接続される。本発明の一実施形態によれば、ボンディングワイヤ１０２は、金ワイヤ若しくは銅ワイヤ又はこれらに類するものとすることができ、各ボンディングパッド２０２の表面は通常、例えばニッケル−金層又は銅−金層などのはんだ付け可能なコーティングを備える。例えば、半導体チップ１２は、ボンディングワイヤ１２２を介して基板１００の上面１００ａに電気的に接続されることができる。
【００２４】
本発明の一実施形態によれば、基板１００の上面１００ａ上に複数の受動部品１３が配置され得る。例えば、受動部品１３は、これに限定されないが、キャパシタ部品、インダクタ部品、抵抗部品、又はこれらに類するものを有し得る。本発明の一実施形態によれば、受動部品１３は、これに限定されないが、表面実装技術（ＳＭＴ）を用いて基板１００の上面１００ａ上に配置され得る。本発明の一実施形態によれば、受動部品１３は、半導体チップ１０−１２の間で、基板１００の上面１００ａ上に配置され得る。
【００２５】
本発明の一実施形態によれば、例えば、基板１００の上面１００ａ上に、半導体チップ１１及び１２の周りに、それぞれ、グランドリング２１１及び２１２が配置される。グランドリング２１１は半導体チップ１１を取り囲み、グランドリング２１２は半導体チップ１２を取り囲む。本発明の一実施形態によれば、グランドリング２１１及び２１２は、これに限定されないが、連続した環状のパターンを有し得る。一部の実施形態において、グランドリング２１１及び２１２は、連続した環状パターンを有していてもよいし、リング状に配列されたパッドパターンで構成されてもよい。
【００２６】
例えば、グランドリング２１１及び２１２は、基板１００内のパターニングされた金属層で形成されることができ、当該パターニングされた金属層の表面に、例えばニッケル−金層又は銅−金層といったはんだ付け可能なめっき層を有し得る。グランドリング２１１及び２１２は更に、ビアを介してグランド層（図示せず）に電気的に接続されることができる。本発明の一実施形態によれば、グランドリング２１１及び２１２は、これに限定されないが、例えば半導体チップ１１及び１２の間の重なり部分２１３といった、部分的に重なり合う又は共有する部分を有し得る。一部の実施形態において、グランドリング２１１及び２１２は、互いに独立した環状パターンとし得る。
【００２７】
本発明の一実施形態によれば、グランドリング２１１上に複数の金属ポスト３１１が配置され、グランドリング２１２上に複数の金属ポスト３１２が配置される。本発明の一実施形態によれば、金属ポスト３１１、３１２は、銅、銀、金、アルミニウム、ニッケル、パラジウム、これらの組み合わせ若しくは合金、又は何らかの好適な導電材料を有し得る。例えば、金属ポスト３１１、３１２は、これに限定されないが、銅ポスト又は銅ニッケル合金ポストとし得る。本発明の一実施形態によれば、これに限定されないが、金属ポスト３１１は、少なくとも１つの例に配列され、金属ポスト３１２は、少なくとも１つの例に配列される。本発明の一実施形態によれば、半導体チップ１１及び１２の間の重なり部分２１３では、より良好な電磁干渉遮蔽効果を達成するために、図１の右側の拡大図に示すように、金属ポスト３１１と金属ポスト３１２とが互い違いにジグザグ状に配列される。
【００２８】
本発明の一実施形態によれば、金属ポスト３１１、３１２は、ワイヤボンディングによって形成されることができ、図１に示すように、金属ポスト３１１、３１２の各々の一端がグランドリング２１１、２１２に固定され、他端は浮かされる（自由端である）。金属ポスト３１１、３１２は、真っすぐ上向きにされて、それぞれ、半導体チップ１１、１２をフェンスのように取り囲む。本発明の一実施形態によれば、金属ポスト３１１、３１２は、略同じ高さｈを持ち、高さｈは、後に形成される成形コンパウンドの目標厚さ（研削後）よりも高い。図１は、それぞれ半導体チップ１１、１２を完全に取り囲む金属ポスト３１１、３１２を図示しているが、当業者によって理解されることには、金属ポスト３１１、３１２は、それぞれ、半導体チップ１１、１２の一部のみを囲んでもよい。例えば、金属ポストは、完全に取り囲むのではなく、半導体チップ１１及び１２の各々の二辺又は三辺のみに沿って配置されてもよい。例えば、他の一実施形態において、金属ポスト３１１、３１２は、半導体チップ１１及び１２の間の重なり部分２１３のみに配置される。
【００２９】
図６及び図７を参照するに、これらは、半導体チップ１１及び１２の間の重なり領域２１３に配置される金属ポスト３１１、３１２を示す部分的な上面図である。図６に示すように、金属ポスト３１１のワイヤ径ｄ１は、金属ポスト３１２のワイヤ径ｄ２に等しくてもよいし、等しくなくてもよい。金属ポスト３１１間のピッチＰ１、金属ポスト３１２間のピッチＰ２、及び金属ポスト３１１、３１２間のピッチＰ３は、互いに等しくてもよいし、等しくなくてもよい。金属ポスト３１１、３１２間の横方向距離Ｓはゼロ以上とし得る。本発明の一実施形態によれば、例えば、金属ポスト３１１、３１２間の横方向距離Ｓは、これに限定されないが、遮蔽されるべき電磁波の波長の約１／１０から約１パーセントの範囲内とし得る。金属ポスト３１１、３１２の横方向距離Ｓの値は、特定の周波数又は周波数レンジのＥＭＩ遮蔽を提供するように選定されることができる。
【００３０】
例えば、図７に示すように、金属ポスト３１１のワイヤ径ｄ１は、金属ポスト３１２のワイヤ径ｄ２に等しいとすることができ、例えば、１５マイクロメートル以上であり、金属ポスト３１１間のピッチＰ１は、金属ポスト３１１、３１２間のピッチＰ３に等しいとすることができ、例えば、３０ミクロンに略等しい。理解されるべきことには、以上のパラメータは、金属ポスト３１１のワイヤ径ｄ１、金属ポスト３１２のワイヤ径ｄ２、金属ポスト３１１間のピッチＰ１、金属ポスト３１２間のピッチＰ２、及び金属ポスト３１１、３１２間のピッチＰ３を含め、様々な設計要求に従って調節されることができる。
【００３１】
本発明の一実施形態によれば、金属ポスト３１１、３１２のスティッチ形成、及び半導体チップ１０及び１２のワイヤボンディング工程は、同時に実行され得るとともに、同一のワイヤボンダにて完了され得る。また、本発明の一実施形態によれば、金属ポスト３１１、３１２のワイヤ径は、半導体チップ１０及び１２上のボンディングワイヤ１０２及びボンディングワイヤ１２２のワイヤ径と同じであってもよいし、異なっていてもよい。例えば、金属ポスト３１１、３１２のワイヤ径は、半導体チップ１０及び１２上のボンディングワイヤ１０２及びボンディングワイヤ１２２のワイヤ径よりも大きくすることができる。さらには、金属ポスト３１１、３１２の材料は、半導体チップ１０及び１２上のボンディングワイヤ１０２及びボンディングワイヤ１２２の材料と同じであってもよいし、異なっていてもよい。
【００３２】
図２に示すように、金属ポスト３１１、３１２の形成が完了した後、それに続いて接着剤噴出プロセスが実行され、ノズル４０によって接着剤４０１がグランドリング２１１及び２１２に沿って金属ポスト３１１、３１２上に噴出される。接着剤４０１は、金属ポスト３１１、３１２の表面に付着し、金属ポスト３１１、３１２の間の隙間内に充填される。本発明の一実施形態によれば、接着剤４０１は、これに限定されないが、熱硬化性樹脂、熱可塑性樹脂、紫外線（ＵＶ）硬化樹脂、又はこれらに類するものとし得る。本発明の一実施形態によれば、接着剤４０１は、例えば銀接着剤又はアルミニウム接着剤などの導電性ペーストとし得る。本発明の一実施形態によれば、接着剤４０１は、例えば銅、銀、金、アルミニウム、ニッケル、パラジウム、これらの組み合わせ若しくは合金、グラフェン、又は何らかの好適な導電材料などの、導電性粒子を有し得る。本発明の一実施形態によれば、接着剤４０１は更に、例えば石英粒子、ダイアモンド粒子、又はこれらに類するものなどの、フィラーを有し得る。本発明の一実施形態によれば、接着剤４０１は更に、溶媒若しくは添加剤（例えば、架橋剤、触媒、又は重合調整剤）及びこれらに類するものを有し得る。
【００３３】
その後、金属ポスト３１１、３１２の表面に付着した接着剤４０１が硬化又は半硬化されるよう、例えば加熱又はＵＶ照射などの硬化プロセスが実行され得る。接着剤４０１は、金属ポスト３１１、３１２が製造プロセス中に倒れないように金属ポスト３１１及び３１２を強化することができるとともに、電磁干渉の遮蔽効果及び放熱性能を向上させることができる。硬化プロセスが完了した後、基板１００の上面１００ａ上に、金属ポストで強化された接着剤壁（金属ポスト強化接着剤壁）４１１及び４１２が形成されている。金属ポスト強化接着剤壁４１１は、半導体チップ１１を取り囲む金属ポスト３１１と、硬化又は半硬化された接着剤４０１とを含む。金属ポスト強化接着剤壁４１２は、半導体チップ１２を取り囲む金属ポスト３１２と、硬化又は半硬化された接着剤４０１とを含む。
【００３４】
本発明の一部の実施形態によれば、金属ポスト３１１のワイヤ径ｄ１及び金属ポスト３１２のワイヤ径ｄ２がもっと大きい、例えば、２５マイクロメートル以上、又は３５マイクロメートル以上である場合、接着剤噴出プロセスは省略されてもよい。また、理解されることには、一部の実施形態では、図１に示した基板の上面に半導体チップをマウントする工程（以下に限られないが、チップボンディング、ワイヤボンディング、フリップチップボンディング、又はこれらに類するものを含む）が、図２に示したように金属ポストがグランドリング上に配置されることの後に実行されてもよい。
【００３５】
図３に示すように、次いで、成形プロセスが実行されて、基板１００の上面１００ａ上に成形コンパウンド５００が形成される。本発明の一実施形態によれば、成形コンパウンド５００は、これに限定されないが、例えば熱硬化性樹脂、熱可塑性樹脂、ＵＶ硬化樹脂、又はこれらに類するものなどの樹脂材料を有し得る。本発明の一実施形態によれば、成形コンパウンド５００の組成は、接着剤４０１の組成とは異なる。例えば、接着剤４０１の組成は導電性粒子を含有することができ、成形コンパウンド５００の組成は基本的に導電性粒子を含有しない。しかしながら、本発明はこれに限定されるものではなく、一部の実施形態では、成形コンパウンド５００の組成が接着剤４０１のそれと同じであってもよく、あるいは、成形コンパウンド５００及び接着剤４０１の例えば熱膨張係数、応力、又は弾性率などの物理特性が相互に合致してもよい。
【００３６】
本発明の一実施形態によれば、成形コンパウンド５００は、金属ポスト強化接着剤壁４１１及び４１２をあふれ出て、半導体チップ１０、ボンディングワイヤ１０２、１２２、及び受動部品１３を含めて、金属ポスト強化接着剤壁４１１及び４１２以外の領域を覆い、半導体チップ１０、ボンディングワイヤ１０２、１２２、及び受動部品１３が成形コンパウンド５００によって封入される。本発明の一実施形態によれば、成形コンパウンド５００は、これに限定されないが、例えば圧縮成形といった様々な好適な方法によって形成され得る。本発明の一実施形態によれば、この成形プロセスは更に、例えば熱硬化プロセスなどの硬化プロセスを有し得る。この時点で、図３に示すように、成形コンパウンド５００は、熱硬化された後に第１の厚さｔ１を持つことができ、第１の厚さｔ１は、金属ポスト３１１、３１２の高さｈ及び金属ポスト強化接着剤壁４１１及び４１２の高さよりも大きい。
【００３７】
図４に示すように、成形プロセスが完了した後、金属ポスト強化接着剤壁４１１及び４１２の頂面が露出され、そして、金属ポスト３１１、３１２の上端面も露出されるように、成形コンパウンド５００の厚さを第１の厚さｔ１から第２の厚さｔ２まで低減するよう、研磨プロセスが実行され得る。この時点で、成形コンパウンド５００の上面は、金属ポスト強化接着剤壁４１１及び４１２の頂面と略同じ平面にある。
【００３８】
最後に、図５に示すように、成形コンパウンド５００上の所定の領域の上に導電層５２０が形成される。本発明の一実施形態によれば、導電層５２０は、半導体チップ１１及び１２と金属ポスト強化接着剤壁４１１及び４１２との上に直接的に置かれ得る。導電層５２０は、銅、銀、又はその他の導電性金属を含むことができる例えば導電性インクなどの導電性コーティングを有し得る。他の一実施形態において、導電層５２０は、銅、アルミニウム、又はその他の好適な金属の層を有することができる。導電層５２０は、金属ポスト３１１、３１２の露出された上端面と直接的に接触し、金属ポスト３１１、３１２を介してグランドに落とされた構成を形成する。
【００３９】
理解されるべきことには、図５の導電層の被覆範囲及びパターンは単なる例示であり、本発明はそれに限定されるべきでない。一部の実施形態において、上面及び側面を含めて成形コンパウンド５００の表面全体が導電層５２０によって覆われ得る。一部の実施形態において、導電層５２０は、半導体チップ１１又は１２のみを覆ってもよい。この時点で、導電層５２０は、第１の金属ポスト強化接着剤壁４１１又は４１２と成形コンパウンド５００の上面の一部と接触している。
【００４０】
構造的に、図４及び図５に示すように、本発明の一実施形態は、インパッケージ区画遮蔽を有する半導体パッケージ１を開示し、半導体パッケージ１は、基板１００の上面１００ａ上に配置された例えば半導体チップ１１といった少なくとも１つの高周波チップと、例えば半導体チップ１２などの、高周波信号干渉の影響を受けやすい回路部品とを有する基板１００を有する。グランドリング２１１が、基板１００の上面１００ａ上の例えば半導体チップ１１などの高周波チップを取り囲む。高周波チップを取り囲んで、グランドリング２１１上に金属ポスト強化接着剤壁４１１が配置される。グランドリング２１２が、基板１００の上面１００ａ上の回路部品を取り囲む。回路部品を取り囲んで、グランドリング２１２上に金属ポスト強化接着剤壁４１２が配置される。成形コンパウンド５００が、少なくとも高周波チップ及び回路部品を覆う。導電層５２０が、成形コンパウンド５００上に配置され、金属ポスト強化接着剤壁４１１及び／又は金属ポスト強化接着剤壁４１２と接触する。
【００４１】
本発明の一実施形態によれば、金属ポスト強化接着剤壁４１１は、複数の金属ポスト３１１を含み、複数の金属ポスト３１１の各々の一端がグランドリング２１１上に固定され、他端は浮かされ、複数の金属ポスト３１１は高周波チップ（例えば、半導体チップ１１）を取り囲む。
【００４２】
本発明の一実施形態によれば、金属ポスト強化接着剤壁４１２は、複数の金属ポスト３１２を含み、複数の金属ポスト３１２の各々の一端がグランドリング２１２上に固定され、他端は浮かされ、複数の金属ポスト３１２は回路部品（例えば、半導体チップ１２）を取り囲む。
【００４３】
本発明の一実施形態によれば、金属ポスト強化接着剤壁４１１又は金属ポスト強化接着剤壁４１２は更に、金属ポスト３１１又は金属ポスト３１２の表面に付着した接着剤４０２を有する。本発明の一実施形態によれば、成形コンパウンド５００の組成は接着剤４０１の組成と異なる。
【００４４】
本発明の他の一実施形態に従ったインパッケージ区画遮蔽を有する半導体パッケージを製造する方法を示す概略図である図８及び図９を参照されたい。同様の層、部品又は材料は、似通った参照符号によって指し示されている。図８に示すように、同様に、半導体パッケージ２は、基板１００の上面１００ａ上に、互いに隣接する複数の半導体チップ１０−１２を備え得る。例えば、これに限定されないが、半導体チップ１０は電力管理ＩＣ（ＰＭＩＣ）とすることができ、半導体チップ１１は無線周波数チップ（ＲＦＩＣ）とすることができ、そして、半導体チップ１２は電力増幅器チップ（ＰＡＩＣ）とすることができる。本発明の一実施形態によれば、例えば半導体チップ１１などの、少なくとも１つの高周波チップと、例えば半導体チップ１２などの、高周波信号干渉の影響を受けやすい回路部品又はチップとが、基板１００の上面１００ａ上に配置される。
【００４５】
本発明の一実施形態によれば、例えば、これに限定されないが、半導体チップ１０及び１２は、ワイヤボンディング様式にて基板１００の上面１００ａ上に配置されることができ、半導体チップ１１は、フリップチップボンディング様式にて基板１００の上面１００ａ上に配置されることができる。本発明の一実施形態によれば、半導体チップ１０−１２は、ベアチップ又はチップパッケージの形態をとり得る。
【００４６】
本発明の一実施形態によれば、基板１００の上面１００ａ上に複数の受動部品１３が配置され得る。例えば、受動部品１３は、これに限定されないが、キャパシタ部品、インダクタ部品、抵抗部品、又はこれらに類するものとし得る。本発明の一実施形態によれば、受動部品１３は、これに限定されないが、表面実装技術（ＳＭＴ）を用いて基板１００の上面１００ａ上に配置され得る。本発明の一実施形態によれば、受動部品１３は、半導体チップ１０−１２の間で、基板１００の上面１００ａ上に配置され得る。
【００４７】
本発明の一実施形態によれば、例えば、基板１００の上面１００ａ上に、半導体チップ１０−１２の周りに、それぞれ、グランドリング２１０、２１１、及び２１２が配置され、グランドリング２１０は半導体チップ１０を取り囲み、グランドリング２１１は半導体チップ１１を取り囲み、グランドリング２１２は半導体チップ１２を取り囲む。本発明の一実施形態によれば、グランドリング２１０−２１２は、これに限定されないが、連続した環状パターンとし得る。他の実施形態において、グランドリング２１０−２１２は、連続した環状パターンであってもよいし、リング状に配列されたパッドパターンで構成されてもよい。
【００４８】
本発明の一実施形態によれば、グランドリング２１０上に複数の金属ポスト３１０が配置され、グランドリング２１１上に複数の金属ポスト３１１が配置され、グランドリング２１２上に複数の金属ポスト３１２が配置される。本発明の一実施形態によれば、金属ポスト３１０−３１２は、銅、銀、金、アルミニウム、ニッケル、パラジウム、これらの組み合わせ若しくは合金、又は何らかの好適な導電材料を有し得る。例えば、金属ポスト３１０−３１２は、これに限定されないが、銅ポスト又は銅ニッケル合金ポストとし得る。本発明の一実施形態によれば、これに限定されないが、金属ポスト３１０−３１２は、少なくとも１つの例に配列される。
【００４９】
本発明の一実施形態によれば、金属ポスト３１０−３１２は、ワイヤボンディングによって形成されることができ、図１に示したように、金属ポスト３１０−３１２の各々の一端がそれぞれグランドリング２１０−２１２に固定され、他端は浮かされる。金属ポスト３１０−３１２は、真っすぐ上向きにされて、フェンスのように半導体チップ１０−１２を取り囲む。図８は、金属ポスト３１０−３１２がそれぞれ半導体チップ１０−１２を完全に取り囲むことを図示している。
【００５０】
その後、接着剤噴出プロセスが実行され、ノズル４０を用いることによって接着剤４０１がグランドリング２１０−２１２に沿って金属ポスト３１０−３１２上に噴出される。接着剤４０１は、金属ポスト３１０−３１２の表面に付着し、金属ポスト間の隙間が接着剤４０１で充填される。本発明の一実施形態によれば、接着剤４０１は、これに限定されないが、熱硬化性樹脂、熱可塑性樹脂、紫外線（ＵＶ）硬化樹脂、又はこれらに類するものとし得る。本発明の一実施形態によれば、接着剤４０１は、例えば銀接着剤又はアルミニウム接着剤などの導電性ペーストとし得る。本発明の一実施形態によれば、接着剤４０１は、例えば銅、銀、金、アルミニウム、ニッケル、パラジウム、これらの組み合わせ若しくは合金、グラフェン、又は何らかの好適な導電材料などの、導電性粒子を有し得る。本発明の一実施形態によれば、接着剤４０１は更に、例えば石英粒子、ダイアモンド粒子、又はこれらに類するものなどの、フィラーを有し得る。本発明の一実施形態によれば、接着剤４０１は更に、溶媒若しくは添加剤（例えば、架橋剤、触媒、又は重合調整剤）、又はこれらに類するものを有し得る。
【００５１】
その後、金属ポスト３１０−３１２の表面に付着した接着剤４０１が硬化又は半硬化されるよう、例えば加熱又はＵＶ照射などの硬化プロセスが実行され得る。接着剤４０１は、金属ポスト３１０−３１２を強化して、それらが製造プロセス中に倒れないようにすることができるとともに、ＥＭＩ遮蔽効果及び放熱性能を高めることができる。硬化プロセスが完了した後、基板１００の上面１００ａ上に、金属ポスト強化接着剤壁４１０−４１２が形成されている。金属ポスト強化接着剤壁４１０は、半導体チップ１０を取り囲む金属ポスト３１０と、硬化又は半硬化された接着剤４０１とを含み、金属ポスト強化接着剤壁４１１は、半導体チップ１１を取り囲む金属ポスト３１１と、硬化又は半硬化された接着剤４０１とを含み、金属ポスト強化接着剤壁４１２は、半導体チップ１２を取り囲む金属ポスト３１２と、硬化又は半硬化された接着剤４０１とを含む。
【００５２】
本発明の他の実施形態によれば、金属ポスト３１０−３１２のワイヤ径が比較的大きい、例えば、２５マイクロメートル以上、又は３５マイクロメートル以上である場合、接着剤噴出プロセスは省略されてもよい。他の例では、接着剤４０１は、金属ポスト３１０−３１２の一部の上のみに噴出される。
【００５３】
図９に示すように、次いで、成形プロセスが実行されて、基板１００の上面１００ａ上に、金属ポスト強化接着剤壁４１０−４１２の中にそれぞれ成形コンパウンド５０１−５０３が形成される。本発明の一実施形態によれば、成形コンパウンド５０１−５０３は、これに限定されないが、例えば熱硬化性樹脂、熱可塑性樹脂、ＵＶ硬化樹脂、又はこれらに類するものなどの樹脂材料を有し得る。本発明の一実施形態によれば、成形コンパウンド５０１−５０３の組成は、接着剤４０１の組成とは異なる。例えば、接着剤４０１の組成は導電性粒子を含むことができ、成形コンパウンド５０１−５０３の組成は基本的に導電性粒子を含有しない。しかしながら、本発明はこれに限定されるものではなく、他の実施形態では、成形コンパウンド５０１−５０３の組成が接着剤４０１のそれと同じであってもよく、あるいは、成形コンパウンド５０１−５０３及び接着剤４０１の例えば熱膨張係数、応力、又は弾性率などの物理特性が相互に合致してもよい。
【００５４】
本発明の一実施形態によれば、成形コンパウンド５０１−５０３は、金属ポスト強化接着剤壁４１０−４１２をあふれ出ず、故に、金属ポスト強化接着剤壁４１０−４１２の外側の領域を覆わない。換言すれば、成形コンパウンド５０１は半導体チップ１０及びボンディングワイヤ１０２を覆い、成形コンパウンド５０２は半導体チップ１１を覆い、成形コンパウンド５０３は半導体チップ１２及びボンディングワイヤ１２２を覆う。金属ポスト強化接着剤壁４１０−４１２の外側の領域は、受動部品１３を含めて、成形コンパウンド５０１−５０３によって封入されず、露わにされ得る。本発明の一実施形態によれば、成形コンパウンド５０１−５０３は、これに限定されないが、例えば圧縮成形又はディスペンスプロセスといった様々な好適な方法によって形成され得る。本発明の一実施形態によれば、この成形プロセスは更に、例えば熱硬化プロセスなどの硬化プロセスを有し得る。重要部品の部分のみが成形コンパウンド５０１−５０３によって封入されて保護されるので、基板１００に対する成形コンパウンド５０１−５０３の応力の影響を抑制することができ、それにより、半導体パッケージ２の反り問題が改善される。その後、更に詳細には説明しないが、図４及び図５に示したような研磨プロセス及び導電層コーティングプロセスを実行することができる。
【００５５】
本発明の他の一実施形態によれば、本開示は更に単一チップパッケージを開示する。図１０及び図１１に示すように、例えばプロセッサ又はそれに類するものなどの単一の半導体チップ１０が、基板１００の上面１００ａ上に配設される。基板１００の下面１００ｂ上には、例えばボールグリッドアレイ（ＢＧＡ）はんだボールなどのコネクタ１０８が配設される。半導体チップ１０は、ワイヤボンディング（例えば、図１０に示すボンディングワイヤ１０２など）によって基板１００の上面１００ａ上に配置されることができ、あるいは、半導体チップ１０は、（例えば、図１１に示すように）フリップチップボンディングによって基板１００の上面１００ａ上に配置されることができる。基板１００の上面１００ａには、同様に、半導体チップ１０を取り囲むようにグランドリング２１０が設けられる。グランドリング２１０上に、半導体チップ１０を取り囲むように金属ポスト強化接着剤壁４１０が配置される。金属ポスト強化接着剤壁４１０は、複数の金属ポスト３１０を有し、複数の金属ポスト３１０の各々の一端がグランドリング２１０上に固定され、他端は浮かされ、複数の金属ポスト３１０は半導体チップ１０を取り囲む。金属ポスト強化接着剤壁４１０は更に、金属ポスト３１０の表面に付着した接着剤４０１を有する。金属ポスト強化接着剤壁４１０の中に成形コンパウンド５０１が配置される。本発明の一実施形態によれば、成形コンパウンド５０１の組成は、接着剤４０１の組成とは異なる。例えば、接着剤４０１の組成は、例えば銅、銀、金、アルミニウム、ニッケル、パラジウム、これらの組み合わせ若しくは合金、又はグラフェンなどの、導電性粒子を含み得る。成形コンパウンド５０１の組成は基本的に導電性粒子を含有しない。しかしながら、本発明はこれに限定されるものではなく、他の実施形態では、成形コンパウンド５０１の組成が接着剤４０１のそれと同じであってもよく、あるいは、成形コンパウンド５０１及び接着剤４０１の例えば熱膨張係数、応力、又は弾性率などの物理特性が相互に合致してもよい。成形コンパウンド５０１は、金属ポスト強化接着剤壁４１０をあふれ出ず、故に、金属ポスト強化接着剤壁４１０の外側の領域を覆わない。成形コンパウンド５０１は、これに限定されないが、例えば圧縮成形又はディスペンスプロセスといった様々な好適な方法によって形成され得る。半導体チップ１０のみが成形コンパウンド５０１によって封入されて保護されるので、基板１００に対する成形コンパウンド５０１の応力の影響を抑制することができ、それにより、反り問題が改善される。その後、更に詳細には説明しないが、図４及び図５に示したような研磨プロセス及び導電層コーティングプロセスを実行することができる。
【００５６】
従来技術と比較して、本発明は、少なくとも以下の利点を有する：（１）開示した方法は、既存の製造プロセスに適合しており、プロセス工程が単純化されているのでコストが相対的に低い；（２）開示した半導体パッケージ又はモジュールのサイズは最小化されることができる；（３）基板上での金属ポスト強化接着剤壁又は区画遮蔽構造の配置が高い柔軟性を持つ；（４）開示した方法は、高いＵＰＨ（時間当たりのユニット数）での大量生産を達成することが可能である；及び（５）列（段）の数と金属ポストの径及び／又は間隔などを調節することにより、本開示は、電磁放射が遮蔽されるべき様々な周波数レンジに柔軟に適用されることができる。
【００５７】
当業者がただちに気づくことには、本発明の教示を保持しながら装置及び方法の数多く変更及び改変が為され得る。従って、以上の開示は、添付の請求項の境界及び範囲によってのみ限定されると解釈されるべきである。
【図１】
2020088366.tif 000003
【図２】
2020088366.tif 000004
【図３】
2020088366.tif 000005
【図４】
2020088366.tif 000006
【図５】
2020088366.tif 000007
【図６】
2020088366.tif 000008
【図７】
2020088366.tif 000009
【図８】
2020088366.tif 000010
【図９】
2020088366.tif 000011
【図１０】
2020088366.tif 000012
【図１１】
2020088366.tif 000013